(57)【要約】【課題】  ショベルにおいてエアコンプレッサーを使用することなく簡略な構成において安価に使用される表面破砕装置を提供する。【解決手段】  油圧駆動モータ１６と、油圧駆動モータ１６の駆動軸１２に連動接続されるクランク軸１８と、クランク軸１８に連動接続されるコネクティングロッド１９と、コネクティングロッド１９に連動接続される表面破砕作動部２４、２７、３０、３３、４４とから構成される表面破砕装置。【選択図】図３
2018196869.tif 000002
【特許請求の範囲】
【請求項１】
油圧駆動モータと、
前記油圧駆動モータの駆動軸に連動接続されるクランク軸と、
前記クランク軸に連動接続されるコネクティングロッドと、
前記コネクティングロッドに連動接続される表面破砕作動部と、
から構成されることを特徴とする表面破砕装置。
【請求項２】
前記表面破砕作動部が、前記コネクティングロッド端に連動接続される押圧作動板と、前記押圧作動板にバネ体を介して取り付けられる複数の作動ロッドと、前記作動ロッドの先端に取り付けられる破砕具とから構成される請求項１記載の表面破砕装置。
【請求項３】
破砕時において、破砕空間を水噴射幕によって覆うように水を噴射する鎮塵用の噴射ノズルを備える請求項１または２記載の表面破砕装置。
【請求項４】
旋回作動可能である請求項１または２記載の表面破砕装置。
【発明の詳細な説明】
【技術分野】
【０００１】  この発明は、ショベルのアーム端に連結使用される表面破砕装置に関する。
【背景技術】
【０００２】  コンクリート建造物の表面の修復工事を行う場合、老朽化したコンクリート表面の破砕（斫り）施工がなされ、最近ではショベルのアームに連結される表面破砕装置によってその施工が行われるようになっている。
【発明の概要】
【発明が解決しようとする課題】
【０００３】  上記表面破砕装置は、ショベルに搭載されるエアコンプレッサーにより駆動されており、エアコンプレッサーを別途ショベルに組み付ける手間がかかるとともに、高価なエアコンプレッサーを購入するコストを要した。【０００４】  この発明では、ショベルにおいてエアコンプレッサーを使用することなく簡略な構成において安価に使用される表面破砕装置を提供することを目的とする。
【課題を解決するための手段】
【０００５】  この発明では、油圧駆動モータと、前記油圧駆動モータの駆動軸に連動接続されるクランク軸と、前記クランク軸に連動接続されるコネクティングロッドと、前記コネクティングロッドに連動接続される表面破砕作動部とから構成されることを特徴とする表面破砕装置を提供する。【０００６】  上記構成の表面破砕装置は、油圧駆動モータの駆動によりクランク軸、コネクティングロッドに連動して表面破砕作動部が往復作動することで表面破砕作動がなされる。油圧駆動モータはショベルに通常搭載される油圧ポンプにより作動できるので、別途エアコンプレッサーを用いることなく表面破砕作業が可能となる。【０００７】  さらに、表面破砕作動部が、コネクティングロッド端に連動接続される押圧作動板と、押圧作動板にバネ体を介して取り付けられる複数の作動ロッドと、それら作動ロッドの先端に取り付けられる破砕具とから構成されることで、壁面内に鉄筋等が存在しそれに破砕具が当たって発生する反動はバネ体で吸収される。これにより、作動ロッドからコネクティングロッド、クランク、油圧モータに衝撃が加わることが軽減されてそれらの故障が回避されるとともに、アームを通じてショベルのオペレータに及ぶ衝撃が緩和される。くわえて、破砕具が複数個あることで、仮に特定の破砕具に反動が生じてもその反動はばね体で吸収されて他の破砕具に及ぶことがなく、反動が生じていない他の破砕具は支障なく作動されて破砕作業が滞りなく行われる。【０００８】  さらに、表面破砕装置が破砕時において、破砕空間を水噴射幕によって覆うように水を噴射する鎮塵用の噴射ノズルを備える構成とされることで、破砕時の鎮塵が良好になされる。【０００９】  さらに、表面破砕装置が旋回作動可能である構成とされることで、異なる方向を向く壁面における破砕作業がショベルの方向を変えることなく容易に行われる。
【発明の効果】
【００１０】  この発明によれば、ショベルにおいてエアコンプレッサーを使用することなく簡略な構成において安価に使用される表面破砕装置が得られる。
【図面の簡単な説明】
【００１１】
【図１】  この発明の表面破砕装置の実施形態の使用状態図
【図２】  この発明の表面破砕装置の実施形態の外観斜視図
【図３】  この発明の表面破砕装置の実施形態の内部構成を表す断面構成略図
【図４】  この発明のカッター装置の実施形態の前面図
【発明を実施するための形態】
【００１２】  図１はこの発明の表面破砕装置の実施形態の使用状態図、図２は同外観斜視図、図３は同断面構成略図である。表面破砕装置１は、ショベル１００のアーム１０１端に連結使用される。３はアーム１０１への取り付け部であり、その下部に旋回部４を介して基部５が設けられ、基部５の下部側面に破砕部７が設けられている。９は旋回用の油圧駆動モータである。
【００１３】  基部５は後方の開放した上ハウジング６に囲まれる上構成部と、その下部に横方向に取り付けられる角筒状の下ハウジング１３に囲まれる下構成部とから構成され、上ハウジング６内に油圧駆動モータ１６が設けられ、下ハウジング１３内にクランク軸１８とそれに一端側が連結されるコネクティングロッド１９、コネクティングロッド１９の他端側が取り付けられる取り付けロッド２１が設けられている。
【００１４】  下ハウジング１３の上面に設けられた開口から下ハウジング１３内に突出する油圧モータ１６の駆動軸１２にクランク軸１８の上端が連結固定され、そのクランク軸１８の偏心部にコネクティングロッド１９の一端側が軸受２０を介して外嵌連結され、コネクティングロッド１９の他端側が取り付けロッド２１に軸受２２を介して外嵌連結されている。
【００１５】  破砕部７は円筒状ハウジング２５内に６本の作動ロッド２４が設けられ（図３は簡略に作動ロッド２４を２本図示している）、それら作動ロッド２４の先端側に取り付けられた６個の破砕具２７が円筒状ハウジング２５の前面から突出している。３０は円形の押圧作動板で、環状に６個の固定穴３２が設けられるとともに、後面に一対の固定片３１を備え、その一対の固定片３１に上記取り付けロッド２１が嵌入固定されている。３３のそれぞれは固定管であり、固定管３３の前面に破砕具２７が固定状態に取り付けられており、破砕具２７は先端が尖って前方に突出する４個の破砕ビット３９を備えている。
【００１６】  作動ロッド２４それぞれの後端近傍にはスリーブ４５が取り付けられている。作動ロッド２４はスリーブ４５の前側にコイルバネ４４が装着された状態において、前ネジ部３４が固定管３３に後方から差し入れられ、後ネジ部３６が固定板３０の固定穴３２から後方に突出するように配置され、固定ナット４１、４３のそれぞれが締め付けられることで取り付けられる。このようにして、作動ロッド２４のスリーブ４５の前端と固定管３３の後端間の位置にはコイルバネ４４が装着された状態となる。４６はハウジング２５の後面板であり、後面板４６の取り付け穴４７に作動ロッド２４のスリーブ４５の取り付け部分が遊嵌されている。上記作動ロッド２４、破砕具２７、押圧作動板３０、固定管３３、コイルバネ４４等により表面破砕作動部が構成される。
【００１７】  以下、表面破砕装置１の動作説明を行う。図１に示すように、表面破砕装置１が矢印方向に前進され、破砕具２７の破砕ビット３９が壁面Ｗに当接する状態において油圧駆動モータ１６が作動されると、その駆動軸１２とともにクランク軸１８が回転し、それに連結されるコネクティングロッド１９に連動して押圧作動板３０が往復動する。これに伴ってそれぞれの作動ロッド２４が前後に往復動して破砕具２７の破砕ビッド３９による打撃が繰り返されて、壁面Ｗ表面が破砕される。その際、壁面Ｗ内に存在する鉄筋等に破砕ビット３９が衝突して破砕具２７に生じる反動は、コイルバネ４４で吸収される。これにより、作動ロッド２４からコネクティングロッド１９、クランク軸１８、油圧モータ１６に衝撃が加わることが軽減されてそれらの故障が回避され、また、アーム１０１を通じてショベル１００のオペレータに及ぶ衝撃が緩和される。その際、破砕具２７が６個あることで、仮に特定の破砕具２７に反動が生じてもその反動はコイルバネ４４で吸収され、反動が生じていない他の破砕具２７は支障なく作動されて破砕作業が滞りなく行われる。また、油圧駆動モータ９が作動されて破砕部７が旋回されることで、異なる方向を向く壁面における破砕作業がショベル１００の方向を変えることなく容易に行われる。
【００１８】  また、図５にも示すように、ハウジング２５の上面と両側面には鎮塵用の水噴出ノズル５０のそれぞれが取り付けられている。破砕時にこれら水噴出ノズル５０から前方に幅広く水が噴出されて破砕空間が水噴射幕Ｙ（点線図示）により覆われることで、ほこりの舞い上がりが抑制されて鎮塵が良好になされる。
【符号の説明】
【００１９】  １    表面破砕装置
１２  駆動軸
１６  油圧作動ポンプ
１８  クランク軸
１９  コネクティングロッド
２４  作動ロッド（表面破砕作動部）
２７  破砕具（表面破砕作動部）
３０  押圧作動板（表面破砕作動部）
４４  コイルバネ（表面破砕作動部）
【図１】
2018196869.tif 000003
【図２】
2018196869.tif 000004
【図３】
2018196869.tif 000005
【図４】
2018196869.tif 000006